(57)【要約】【課題】レンズのコーナ部の形状をより高精度とする必要がなく、収容したレンズの光軸の調芯をより容易に行うことができるレンズホルダを提供する。【解決手段】レンズホルダ筐体部１０と、複数のレンズＬ１、Ｌ２と、収容されたレンズを保持するレンズ押さえ部材１１とを備え、レンズホルダ筐体部１０に収容されて向かい合っているレンズ間における少なくとも１個所のレンズ間に、向かい合っている双方のレンズＬ１、Ｌ２のレンズ曲面と当接する略円環状の調芯部材２０を備え、向かい合っているレンズＬ１、Ｌ２にて挟み込んでいる調芯部材２０を互いのレンズ曲面に押し付けることで、向かい合っているレンズＬ１、Ｌ２と調芯部材２０とを相対的に光軸Ｚ１に直交する方向に移動させて、向かい合っているレンズＬ１、Ｌ２のそれぞれの光軸Ｚ１と、向かい合っているレンズＬ１、Ｌ２にて挟み込んでいる調芯部材２０の軸と、を同軸上に調芯する。【選択図】図１
2010101954.tif 000002
【特許請求の範囲】
【請求項１】
球面状の凹面または凸面を有する複数のレンズを収容可能な略円筒形状のレンズホルダ筐体部と、
前記レンズホルダ筐体部に収容された複数のレンズと、
収容されたレンズを保持するレンズ押さえ部材と、を備え、収容されたレンズの光軸を同軸上に調芯するレンズホルダにおいて、
前記レンズホルダ筐体部に収容されて向かい合っているレンズ間における少なくとも１個所のレンズ間に、向かい合っている双方のレンズのレンズ曲面と当接する略円環状の調芯部材を備え、
前記向かい合っているレンズにて挟み込んでいる前記調芯部材を互いのレンズ曲面に押し付けることで、前記向かい合っているレンズと前記調芯部材とを相対的に前記光軸に直交する方向に移動させて、前記向かい合っているレンズのそれぞれの光軸と、前記調芯部材の軸と、を同軸上に調芯する、
レンズホルダ。
【請求項２】
請求項１に記載のレンズホルダであって、
前記調芯部材を挟み込んで向かい合っているレンズの少なくとも一方のレンズにおける前記調芯部材と反対側の面であるレンズ裏面が当該レンズの光軸に直交する平面状に形成されている場合において、
前記レンズホルダ筐体部の内壁には、前記レンズ裏面における縁部に対向するレンズ保持面が形成されており、
前記レンズ保持面と前記レンズ裏面との間には、前記レンズ裏面を有するレンズが前記光軸に直交する方向に移動することを支援する少なくとも３個の球状部材が挟み込まれており、
前記向かい合っているレンズと前記調芯部材とを前記レンズ保持面の方向に相対的に押し付けることで、前記向かい合っているレンズと前記調芯部材とを相対的に前記光軸に直交する方向に移動させて、前記向かい合っているレンズのそれぞれの光軸と、前記調芯部材の軸と、を同軸上に調芯する、
レンズホルダ。
【請求項３】
球面状の凹面または凸面を有する単数のレンズを収容可能な略円筒形状のレンズホルダ筐体部と、
前記レンズホルダ筐体部に収容された単数のレンズと、
収容されたレンズを保持するレンズ押さえ部材と、を備え、収容されたレンズの光軸を同軸上に調芯するレンズホルダにおいて、
前記収容されたレンズのレンズ曲面に当接する略円環状の調芯部材が、前記レンズホルダ筐体部の内部に配置されており、
前記調芯部材に前記収容されたレンズのレンズ曲面を当接させて、当該レンズを前記調芯部材の方向に相対的に押し付けることで、前記レンズを前記光軸に直交する方向に移動させて、前記レンズの光軸と、前記調芯部材の軸と、を同軸上に調芯する、
レンズホルダ。
【請求項４】
請求項１〜３のいずれかに記載のレンズホルダであって、
前記調芯部材におけるレンズ曲面と当接する当接個所が、前記光軸に直交する１つの平面上にのみ存在するように、
当接するレンズが凸面である場合は、前記凸面の曲率半径よりも大きな曲率半径の凸面、または前記凸面の曲率半径よりも小さな曲率半径の凸面、または前記凸面の曲率半径よりも大きな曲率半径の凹面、またはテーパ状平面であり、
当接するレンズが凹面である場合は、前記凹面の曲率半径よりも小さな曲率半径の凸面である、
レンズホルダ。
【発明の詳細な説明】
【技術分野】
【０００１】
本発明は、収容したレンズを光軸に直交する方向に移動させて、所望する位置に光軸を一致させる調芯をより容易に行うことができる、レンズホルダに関する。
【背景技術】
【０００２】
従来より、レンズホルダに単数または複数のレンズを収容する光学ユニットでは、収容した複数のレンズの光軸が同軸上に位置するように調整する調芯工程に非常に手間がかかっている。
そこで、球面状の凹面または凸面を有するレンズを単数または複数収容して、収容したレンズの光軸を所望する位置に調芯するための種々のレンズホルダが提案されている。
例えば、収容したレンズの中で少なくとも一つのレンズの外周面、またはレンズホルダにおけるレンズを保持する少なくとも一つのレンズ保持面、のいずれか一方を光軸に対して傾斜した傾斜面に形成することで、傾斜面に沿ってレンズを移動（光軸に直交する方向に移動）させて調芯される構造を有するレンズホルダが提案されている。
レンズホルダに設けたレンズ保持面を傾斜面に形成してレンズを調芯する例として、例えば特許文献１に記載された従来技術では、図５に示すように、レンズホルダ１００におけるレンズ保持面Ｍ１００の形状を、収容するレンズＬ１００の少なくとも一方のレンズ曲面（この場合、曲率半径Ｒ１１０のレンズ曲面）の中心位置Ｐ１００を中心とする球面状（この場合、中心位置Ｐ１００で曲率半径Ｒ１００の球面状）の傾斜面に形成している。そしてレンズＬ１００における円筒面とレンズ曲面との境界となるコーナ部Ｃ１００をレンズ保持面Ｍ１００に当接させ、レンズ保持面Ｍ１００の傾斜面に沿ってレンズＬ１００を移動させて調芯させている。
【特許文献１】特開２００１−１３３９０号公報
【発明の開示】
【発明が解決しようとする課題】
【０００３】
特許文献１に記載された従来技術では、レンズ保持面Ｍ１００に、レンズＬ１００における円筒面とレンズ曲面との境界となるコーナ部Ｃ１００を当接させているため、レンズ保持面Ｍ１００の形状の精度とコーナ部Ｃ１００の形状の精度が調芯精度に大きく影響する。
しかし、汎用的なレンズでは、作業者の安全上の配慮や欠け等の防止のため、コーナ部Ｃ１００は面取り等の処理が施されており、コーナ部Ｃ１００の形状の精度が保障されていないことが多い。期待する調芯精度を得るためには、レンズＬ１００のコーナ部Ｃ１００の形状の精度をより高精度とする必要があるが、汎用品でなく特殊なレンズとなるので、費用と時間がかかる。
本発明は、このような点に鑑みて創案されたものであり、レンズのコーナ部の形状をより高精度とする必要がなく、収容したレンズの光軸の調芯をより容易に行うことができるレンズホルダを提供することを課題とする。
【課題を解決するための手段】
【０００４】
上記課題を解決するための手段として、本発明の第１発明は、請求項１に記載されたとおりのレンズホルダである。
請求項１に記載のレンズホルダは、球面状の凹面または凸面を有する複数のレンズを収容可能な略円筒形状のレンズホルダ筐体部と、前記レンズホルダ筐体部に収容された複数のレンズと、収容されたレンズを保持するレンズ押さえ部材と、を備え、収容されたレンズの光軸を同軸上に調芯するレンズホルダである。
前記レンズホルダ筐体部に収容されて向かい合っているレンズ間における少なくとも１個所のレンズ間に、向かい合っている双方のレンズのレンズ曲面と当接する略円環状の調芯部材を備え、前記向かい合っているレンズにて挟み込んでいる前記調芯部材を互いのレンズ曲面に押し付けることで、前記向かい合っているレンズと前記調芯部材とを相対的に前記光軸に直交する方向に移動させて、前記向かい合っているレンズのそれぞれの光軸と、前記調芯部材の軸と、を同軸上に調芯する。
【０００５】
また、本発明の第２発明は、請求項２に記載されたとおりのレンズホルダである。
請求項２に記載のレンズホルダは、請求項１に記載のレンズホルダであって、前記調芯部材を挟み込んで向かい合っているレンズの少なくとも一方のレンズにおける前記調芯部材と反対側の面であるレンズ裏面が当該レンズの光軸に直交する平面状に形成されている場合において、前記レンズホルダ筐体部の内壁には、前記レンズ裏面における縁部に対向するレンズ保持面が形成されており、前記レンズ保持面と前記レンズ裏面との間には、前記レンズ裏面を有するレンズが前記光軸に直交する方向に移動することを支援する少なくとも３個の球状部材が挟み込まれている。
そして、前記向かい合っているレンズと前記調芯部材とを前記レンズ保持面の方向に相対的に押し付けることで、前記向かい合っているレンズと前記調芯部材とを相対的に前記光軸に直交する方向に移動させて、前記向かい合っているレンズのそれぞれの光軸と、前記調芯部材の軸と、を同軸上に調芯する。
【０００６】
また、本発明の第３発明は、請求項３に記載されたとおりのレンズホルダである。
請求項３に記載のレンズホルダは、球面状の凹面または凸面を有する単数のレンズを収容可能な略円筒形状のレンズホルダ筐体部と、前記レンズホルダ筐体部に収容された単数のレンズと、収容されたレンズを保持するレンズ押さえ部材と、を備え、収容されたレンズの光軸を同軸上に調芯するレンズホルダである。
前記収容されたレンズのレンズ曲面に当接する略円環状の調芯部材が、前記レンズホルダ筐体部の内部に配置されており、前記調芯部材に前記収容されたレンズのレンズ曲面を当接させて、当該レンズを前記調芯部材の方向に相対的に押し付けることで、前記レンズを前記光軸に直交する方向に移動させて、前記レンズの光軸と、前記調芯部材の軸と、を同軸上に調芯する。
【０００７】
また、本発明の第４発明は、請求項４に記載されたとおりのレンズホルダである。
請求項４に記載のレンズホルダは、請求項１〜３のいずれかに記載のレンズホルダであって、前記調芯部材におけるレンズ曲面と当接する当接個所が、前記光軸に直交する１つの平面上にのみ存在するように、当接するレンズが凸面である場合は、前記凸面の曲率半径よりも大きな曲率半径の凸面、または前記凸面の曲率半径よりも小さな曲率半径の凸面、または前記凸面の曲率半径よりも大きな曲率半径の凹面、またはテーパ状平面であり、当接するレンズが凹面である場合は、前記凹面の曲率半径よりも小さな曲率半径の凸面である。
【発明の効果】
【０００８】
請求項１に記載のレンズホルダを用いれば、収容した複数のレンズの調芯を行う際、レンズのコーナ部を利用して調芯するのでなく、向かい合っているレンズにおけるレンズ曲面（レンズ面）を利用して調芯を行うので、コーナ部の形状の精度を高精度にする必要がない。なお、レンズ曲面の形状の精度は、レンズの品質を左右する形状であるので、一般的に保障されている。
そして、形状の精度が保障されている互いのレンズ曲面に、調芯部材を押し付けることで自動的に調芯することができるので、容易に調芯することができる。
【０００９】
また、請求項２に記載のレンズホルダによれば、少なくとも３個の球状部材を「ころ」として利用することで、光軸に直交する方向へのレンズの移動を支援するので、より容易に調芯することができる。
【００１０】
また、請求項３に記載のレンズホルダによれば、単数のレンズであっても、レンズ曲面（レンズ面）を利用して調芯を行うので、コーナ部の形状の精度を高精度にする必要がない。なお、レンズ曲面の形状の精度は、レンズの品質を左右する形状であるので、一般的に保障されている。
そして、形状の精度が保障されているレンズ曲面に、調芯部材を押し付けることで自動的に調芯することができるので、容易に調芯することができる。
【００１１】
また、請求項４に記載のレンズホルダによれば、調芯部材におけるレンズ曲面と当接する当接個所が、光軸に直交する１つの平面上にのみ存在するように、適切な形状とすることができる。
【発明を実施するための最良の形態】
【００１２】
以下に本発明を実施するための最良の形態を図面を用いて説明する。図１は、本発明のレンズホルダ１の一実施の形態の例を示している（なお、図１は断面図を示している）。
また、Ｘ軸、Ｙ軸、Ｚ軸は互いに直交しており、Ｚ軸方向は光軸Ｚ１に平行な方向である。
●［第１の実施の形態（図１〜図３）］
図１〜図３に示す第１の実施の形態では、レンズホルダ１は複数のレンズＬ１、Ｌ２等を収容しており、光ファイバＦ１及び筐体Ａ１にて構成された光照射ユニット（例えばレーザ発振器によって発生されたレーザ光の出力部）に、接続アダプタＡ２を介して、レンズホルダ１を接続した集光ユニットの例を示している。筐体Ａ１と接続アダプタＡ２とが当接する位置には互いにネジ部Ｎ３が形成されており、接続アダプタＡ２とレンズホルダ１とが当接する位置には互いにネジ部Ｎ２が形成されている。この構成により、光照射ユニットに、種々の焦点距離のレンズホルダ１を選択して取り付けることができる。
【００１３】
レンズホルダ１は、球面状の凹面または凸面を有する複数のレンズを収容可能な略円筒形状のレンズホルダ筐体部１０と、レンズホルダ筐体部１０に収容された複数のレンズＬ１、Ｌ２等と、収容されて向かい合っているレンズ間の少なくとも１個所のレンズ間に挟み込まれている略円環状の調芯部材２０と、収容されたレンズを保持するレンズ押さえ部材１１とを備えている。
なお、図１に示すレンズホルダ１では、他にもレンズ保護部材１２、球状部材１４、球状部材保持器１５を備えているが、レンズ保護部材１２、球状部材１４、球状部材保持器１５を備えることは必須ではない。
レンズ保護部材１２、球状部材１４、球状部材保持器１５は、省略してもよいが、以下に説明する第１の実施の形態では、図１に示すように、レンズ保護部材１２、球状部材１４、球状部材保持器１５を備えたレンズホルダ１の説明を行う。
【００１４】
レンズホルダ筐体部１０は、球面状の凹面または凸面を有する複数のレンズを収容可能となるように、収容する複数のレンズのそれぞれの径よりも大きな内径を有する略円筒形状に形成されている。また、レンズホルダ筐体部１０における接続アダプタＡ２の側には、接続アダプタＡ２に形成されたネジ部と嵌合するためのネジ部Ｎ２が円筒面に形成されている。
図１に示す例では、レンズホルダ筐体部１０には、レンズＬ１の光軸Ｚ１に直交する方向への移動を支援する少なくとも３個の球状部材１４（例えば、ベアリング等で用いる鋼球等）、球状部材１４の位置を保持するための球状部材保持器１５（図３参照）、レンズＬ１、レンズＬ２、レンズＬ１とレンズＬ２に挟み込まれている略円環形状の調芯部材２０、レンズＬ２の面を保護するレンズ保護部材１２（ガラス等）が収容されている。また、レンズホルダ筐体部１０におけるレンズＬ１等を収容する開口部には、収容したレンズＬ１、Ｌ２等を保持するレンズ押さえ部材１１が取り付けられており、レンズホルダ筐体部１０とレンズ押さえ部材１１との当接部にはネジ部Ｎ１が形成されている。
【００１５】
次に図１を用いて、レンズホルダ１の組み付け手順について説明する。
まず、レンズホルダ筐体部１０の開口部（図１では右端部）から、レンズホルダ筐体部１０の内壁に形成されたレンズ保持面Ｍ３に、球状部材保持器１５（図３参照）を固定し（例えば接着剤等で固定する）、孔部Ｋ１を有する球状部材保持器１５に形成された切り欠き部Ｋ２〜Ｋ４の位置に球状部材１４を配置する。なお、球状部材１４及び球状部材保持器１５は、当接するレンズＬ１の面（レンズＬ１における調芯部材２０と反対側の面であるレンズ裏面）が当該レンズの光軸に直交する平面状に形成されている場合に用いられる。そしてレンズ保持面Ｍ３は、レンズＬ１の平面状のレンズ裏面における縁部Ｍ２に対向するように形成されている。
次に、レンズホルダ筐体部１０の開口部から、レンズＬ１を挿入し、レンズＬ１の平面状のレンズ裏面における縁部Ｍ２と球状部材１４とを当接させる。
【００１６】
次に、レンズホルダ筐体部１０の開口部から、略円環状の調芯部材２０を挿入し、レンズＬ１のレンズ曲面に調芯部材２０を当接させる。なお、調芯部材２０におけるレンズ曲面と当接する当接個所Ｔ１は、図２（Ａ）〜（Ｅ）に示すように、光軸Ｚ１に直交する１つの平面Ｍ１上にのみ存在する形状に設定されている。
すなわち、当接するレンズ曲面が凸面である場合、調芯部材２０の当接個所の形状は、レンズ曲面の凸面の曲率半径よりも小さな曲率半径の凸面（図２（Ａ）参照）に形成、またはレンズ曲面の凸面の曲率半径よりも大きな曲率半径の凸面（図２（Ｂ）参照）に形成、またはテーパ状平面（図２（Ｃ）参照）に形成、またはレンズ曲面の凸面の曲率半径よりも大きな曲率半径の凹面（図２（Ｄ）参照）に形成されている。
また、当接するレンズ曲面が凹面である場合、調芯部材２０の当接個所の形状は、レンズ曲面の凹面の曲率半径よりも小さな曲率半径の凸面（図２（Ｅ）参照）に形成されている。
調芯部材２０は、レンズホルダ筐体部１０内に嵌合されてレンズＬ１に押し付けられるように構成してもよいし、レンズホルダ筐体部１０内に嵌合することなくレンズＬ１に押し付けられるように構成してもよい。調芯部材２０が押し付けられたレンズＬ１は、光軸Ｚ１に直交する方向に移動し、調芯部材２０の光軸とレンズＬ１の光軸とが同軸上となる。
【００１７】
次に、レンズホルダ筐体部１０の開口部から、レンズＬ２を挿入し、レンズＬ２のレンズ曲面と調芯部材２０とを当接させ、レンズＬ１、Ｌ２の双方のレンズ曲面にて調芯部材２０を挟み込む。
次に、レンズホルダ筐体部１０の開口部から、レンズ保護部材１２を挿入し、レンズホルダ筐体部１０の開口部にレンズ押さえ部材１１を取り付ける。
そして、レンズＬ２をレンズＬ１の側に押し付け、向かい合っているレンズＬ１、Ｌ２にて挟み込んでいる調芯部材２０を互いのレンズ曲面に押し付けることで、向かい合っているレンズＬ１、Ｌ２と調芯部材２０とを相対的に光軸Ｚ１に直交する方向に移動させて、向かい合っているレンズＬ１、Ｌ２の光軸と、向かい合っているレンズＬ１、Ｌ２にて挟み込んでいる調芯部材２０の軸と、を同軸上に調芯する。
なお、レンズホルダ筐体部１０に形成された貫通孔Ｈ１に調整ネジ等を挿入して、レンズＬ１の位置を強制的に移動させて微調整することもできる。
【００１８】
以上に説明した第１の実施の形態では、レンズのコーナ部（図５のコーナ部Ｃ１００参照）を利用することなく、レンズ曲面を利用して調芯するので、レンズのコーナ部の形状をより高精度にする必要がなく低コストであり、且つ容易に調芯することができる。
また、３個以上のレンズを収容する場合、向かい合うレンズの間のそれぞれに調芯部材２０を挟み込んでもよいし、向かい合うレンズ間の少なくとも１個所のレンズ間に調芯部材２０を挟み込めばよい。（既に別の方法等で調芯されているレンズ間が有る場合は、調芯されていないレンズ間（少なくとも１個所のレンズ間に相当）に調芯部材２０を挟み込めばよい。）
また、レンズＬ１のレンズ裏面の平面部を少なくとも３個の球状部材１４で支持した場合、レンズＬ１の曲率半径が大きくてレンズＬ１を光軸Ｚ１に直交する方向に移動させる力が小さい場合であっても、レンズＬ１の光軸Ｚ１に直交する方向への移動を支援する（動き易くする）ことができる。なお、レンズＬ１の曲率半径が比較的小さくて光軸Ｚ１に直交する方向に移動させる力が比較的大きい場合は、球状部材１４及び球状部材保持器１５を省略してもよい。
このように、コーナ部が特に高精度に形成されていない汎用のレンズを用いても、簡単な構成で調芯が可能であり、低コストで高精度な光学系を構築できる。
【００１９】
●［第２の実施の形態（図４）］
図４に示す第２の実施の形態の例は、光ファイバＦ１（この場合、ファイバレーザ用光ファイバ）にて生成されて一方の端面から出射されたレーザ光、及び励起光をレンズＬ１（凹面鏡）にて反射して当該端面に戻す光反射ユニットの例を示している。
光反射ユニットは、光ファイバＦ１及び筐体Ａ１にて構成された光照射ユニットに、レンズホルダ筐体部１０及びレンズ押さえ部材１１等を備えたレンズホルダ２を接続して構成されている。
筐体Ａ１とレンズホルダ筐体部１０とが当接する位置には、互いにネジ部Ｎ１が形成されており、光照射ユニットに、種々の焦点距離のレンズホルダ２を選択して取り付けることができる。
【００２０】
レンズホルダ２は、球面状の凹面または凸面を有する単数のレンズを収容可能な略円筒形状のレンズホルダ筐体部１０と、レンズホルダ筐体部１０に収容されたレンズＬ１と、レンズＬ１のレンズ曲面に当接される略円環状の調芯部材２０と、レンズＬ１を保持するレンズ押さえ部材１１とを備えている。なお、本実施の形態において、レンズＬ１は入射された光を透過させて集光するのでなく、入射された光を反射させて集光する凹面鏡であるが「集光」するので、これも「レンズ」と定義する。
また、図４に示すレンズホルダ２では、他にもレンズホルダ筐体部１０と筐体Ａ１との相対的な位置を固定するロックナット１６を備えているが、ロックナット１６は省略してもよい。なお、以下に説明する第２の実施の形態では、ロックナット１６を備えたレンズホルダ２の説明を行う。
【００２１】
レンズホルダ筐体部１０は、球面状の凹面または凸面を有する単数のレンズを収容可能となるように、収容するレンズの径よりも大きな内径を有する略円筒形状に形成されている。また、レンズホルダ筐体部１０における筐体Ａ１と当接する円筒面には、筐体Ａ１の内壁に形成されたネジ部と嵌合するためのネジ部Ｎ１が形成されている。
次に、レンズホルダ２の組み付け手順について説明する。
まず、レンズホルダ筐体部１０の開口部（図４では右端部）から、レンズホルダ筐体部１０の内部に調芯部材２０を挿入し、調芯部材２０をレンズホルダ筐体部１０に嵌合する（なお、調芯部材２０は嵌合しなくてもよい）。調芯部材２０は、レンズＬ１のレンズ曲面に当接する円環状の凸部を備えている。
次に、レンズホルダ筐体部１０の開口部からレンズＬ１を挿入し、レンズＬ１のレンズ曲面（この場合、凹面）を調芯部材２０に当接させる。なお、調芯部材２０におけるレンズ曲面と当接する当接個所Ｔ１は、図２（Ａ）〜（Ｅ）に示すように、光軸Ｚ１に直交する１つの平面Ｍ１上にのみ存在する形状に設定されている。この場合、図２（Ｅ）に示すように、レンズ曲面の凹面の曲率半径よりも小さな曲率半径の凸面に形成されている。
次に、レンズホルダ筐体部１０の開口部にレンズ押さえ部材１１を取り付ける。レンズ押さえ部材１１には、レンズホルダ筐体部１０に形成されたネジ部に嵌合するためのネジ部Ｎ２が形成されている。
そして、レンズＬ１のレンズ曲面を調芯部材２０の方向に相対的に押し付け、レンズＬ１を光軸Ｚ１に直交する方向に移動させて、調芯部材２０の軸とレンズＬ１の光軸Ｚ１とを同軸上に調芯する。
その後は、ネジ部Ｎ１にて、筐体Ａ１に対するレンズホルダ２の位置を調整してロックナット１６を用いて、筐体Ａ１に対するレンズホルダ２の位置を固定する（所望する焦点距離となる位置で固定する）。
【００２２】
以上に説明した第２の実施の形態では、レンズのコーナ部（図５のコーナ部Ｃ１００参照）を利用することなく、レンズ曲面を利用して調芯するので、コーナ部の形状をより高精度にする必要がなく、容易に調芯することができる。
このように、コーナ部が特に高精度に形成されていない汎用のレンズを用いても、簡単な構成で調芯が可能であり、低コストで高精度な光学系を構築できる。
【００２３】
本発明のレンズホルダ１、２は、本実施の形態で説明した外観、構成、構造等に限定されず、本発明の要旨を変更しない範囲で種々の変更、追加、削除が可能である。
また、調芯部材２０は、レンズホルダ筐体部１０に嵌合されていてもよいし、嵌合されていなくてもよい。
また、本実施の形態にて説明した図１の例では、向かい合っているレンズのレンズ曲面で調芯部材２０を挟み込む場合、凸面と凸面のレンズ曲面で挟み込む例を説明したが、これに限定されず、凸面と凹面、凹面と凹面のレンズ曲面で挟み込んでもよい。同様に、単数のレンズのレンズ曲面を調芯部材２０に相対的に押し付ける図４の例では、凹面のレンズ曲面を押し付ける例を説明したが、凸面のレンズ曲面を調芯部材２０に押し付けてもよい。
【図面の簡単な説明】
【００２４】
【図１】第１の実施の形態におけるレンズホルダ１、及びレンズホルダ１を光ファイバＦ１、筐体Ａ１、接続アダプタＡ２に接続した集光ユニットの例を説明する図である。
【図２】レンズＬ１と調芯部材２０との当接個所、及び調芯部材２０の当接個所の形状について説明する図である。
【図３】球状部材１４、球状部材保持器１５の例を説明する図である。
【図４】第２の実施の形態におけるレンズホルダ２、及びレンズホルダ２を光ファイバＦ１、筐体Ａ１に接続した光反射ユニットの例を説明する図である。
【図５】従来のレンズホルダ１００の構造の例を説明する図である。
【符号の説明】
【００２５】
１、２    レンズホルダ
１０      レンズホルダ筐体部
１１      レンズ押さえ部材
１２      レンズ保護部材
１４      球状部材
１５      球状部材保持器
１６      ロックナット
２０      調芯部材
Ｆ１      光ファイバ
Ａ１      筐体
Ａ２      接続アダプタ
Ｌ１、Ｌ２    レンズ
Ｍ２      レンズ裏面縁部
Ｍ３      レンズ保持面
Ｎ１〜Ｎ３    ネジ部
Ｔ１      当接個所
Ｚ１      光軸
【図１】
2010101954.tif 000003
【図２】
2010101954.tif 000004
【図３】
2010101954.tif 000005
【図４】
2010101954.tif 000006
【図５】
2010101954.tif 000007